(57)【要約】【課題】  電動リールのコード及び釣り用電気機器のコードをバッテリに同時に接続できるようにする。【解決手段】  電動リールのコード２０は、バッテリからの電力を電動リール及び外部モニタに供給するためのものである。コード２０は、バッテリに接続される第１コード部２１と、第１コード部２１に接続され電動リールに給電する第２コード部２２と、第１コード部２１に第２コード部２２と分岐して接続され外部モニタに給電する第３コード部２３とを備えている。第２コード部２２及び第３コード部２３は、各種の情報を通信可能に接続されており、これにより電動リールと外部モニタとが双方向に情報通信可能である。【選択図】      図８
2005160422.tif 000002
【特許請求の範囲】
【請求項１】
電動リールと前記電動リールの外部に設けられた釣り用電気機器とにバッテリからの電力を供給する電動リールのコードであって、
前記バッテリに接続される第１コード部と、
前記第１コード部に接続され、前記電動リールに給電する第２コード部と、
前記第１コード部に前記第２コード部と分岐して接続され、前記釣り用電気機器に給電する第３コード部と、
を備えた電動リールのコード。
【請求項２】
前記第１コード部は、前記バッテリに接続される第１電力線を有し、
前記第２コード部は、前記第１電力線に接続される第２電力線を有し、
前記第３コード部は、前記第１電力線に接続される第３電力線を有している、請求項１に記載の電動リールのコード。
【請求項３】
前記第１コード部は、一端が前記バッテリに接続される第１電力線と、他端が前記第１電力線の先端に装着されたソケット部とを有し、
前記第２コード部は、前記ソケット部に着脱可能に接続される第２電力線を有し、
前記第３コード部は、前記ソケット部に着脱可能に接続される第３電力線を有している、請求項１に記載の電動リールのコード。
【請求項４】
前記釣り用電気機器は、前記電動リールと各種の情報を通信可能に接続されており、
前記第２コード部は、前記電動リールに接続され、前記各種の情報を通信可能な第１通信線をさらに有し、
前記第３コード部は、前記第１通信線と前記釣り用電気機器とに接続され、前記各種の情報を通信可能な第２通信線をさらに有している、請求項２又は３に記載の電動リールのコード。
【請求項５】
前記第２コード部は、前記第２電力線と前記第１通信線との周囲を一体的に覆う第１被覆部をさらに有し、
前記第３コード部は、前記第３電力線と前記第２通信線との周囲を一体的に覆う第２被覆部をさらに有している、請求項４に記載の電動リールのコード。
【請求項６】
前記第３コード部は、コイル状に形成されている、請求項１から５のいずれかに記載の電動リールのコード。
【請求項７】
前記釣り用電気機器は、前記電動リールに各種の情報を通信可能に接続され、前記電動リールからの前記各種の情報を表示する釣り情報表示装置である、請求項１から６のいずれかに記載の電動リールのコード。
【請求項８】
前記釣り情報表示装置は、魚の棚位置、群の状況及び群の移動方向を得る魚群探知機に各種の情報を通信可能に接続され、前記魚群探知機からの前記各種の情報を表示する、請求項７に記載の電動リールのコード。
【請求項９】
前記釣り用電気機器は、魚の棚位置、群の状況及び群の移動方向を得る魚群探知機である、請求項１から６のいずれかに記載の電動リールのコード。
【発明の詳細な説明】
【技術分野】
【０００１】
本発明は、電動リールのコード、特に、電動リールと前記電動リールの外部に設けられた釣り用電気機器とにバッテリからの電力を供給する電動リールのコードに関する。
【背景技術】
【０００２】
一般に、釣竿に装着される電動リールは、スプールを回転させて釣り糸を巻き取るためのモータを有している。このモータは、バッテリに電気的に接続されたコードにより電力が供給される。このような電動リールのコードは、バッテリに接続される鰐口クリップが一端に設けられ、電動リールのリールコネクタ部の雄ねじ部に接続される雌ねじ部からなるコードコネクタ部が他端に設けられている（たとえば、特許文献１参照）。このような電動リールでは、バッテリに鰐口クリップを接続し、コードコネクタ部の雌ねじ部をリールコネクタ部の雄ねじ部に接続すると、リール内部の配線によりモータに電気的に接続され、これによりバッテリの電力が電動リールへ供給される。
【０００３】
また、一般に、釣り船には、電動リールの外部に設けられ、魚群探知機や全地球測位システム（ＧＰＳ）等の各種の情報を収集する釣り用電気機器が搭載されている。（たとえば、特許文献２参照）。このような釣り用電気機器は、バッテリに電気的に接続され、電動リールのコードと別々に設けられた釣り用電気機器専用のコードにより電力が供給される。
【特許文献１】特開２００２−３４４０５号公報
【特許文献２】特開２００２−１４２６２３号公報
【発明の開示】
【発明が解決しようとする課題】
【０００４】
前記従来の電動リールのコードは、釣り用電気機器専用のコードと別々に設けられている。このため、電動リールと釣り用電気機器とは、専用のバッテリにそれぞれ別々に接続されている。そこで、１つのバッテリに電動リールのコードと釣り用電気機器のコードとを同時に接続しようとすると、通常のバッテリの接続端子は非常に小さいので、鰐口クリップが外れやすくなり、電動リールのコードと釣り用電気機器のコードとをバッテリに同時に接続するのは非常に困難である。
【０００５】
本発明の課題は、電動リールのコード及び釣り用電気機器のコードをバッテリに同時に接続できるようにすることにある。
【課題を解決するための手段】
【０００６】
発明１に係る電動リールのコードは、電動リールと電動リールの外部に設けられた釣り用電気機器とにバッテリからの電力を供給する電動リールのコードであって、バッテリに接続される第１コード部と、第１コード部に接続され電動リールに給電する第２コード部と、第１コード部に第２コード部と分岐して接続され釣り用電気機器に給電する第３コード部とを備えている。
【０００７】
この電動リールのコードでは、第１コード部がバッテリに接続され、第１コード部が分岐した第２コード部及び第３コード部がそれぞれ電動リール及び釣り用電気機器に接続されている。ここでは、１つの第１コード部をバッテリに接続すれば、２つの第２コード部及び第３コード部から電動リール及び釣り用電気機器に給電されるので、通常のバッテリの接続端子においても、電動リールのコード及び釣り用電気機器のコードをバッテリに同時に接続できる。
【０００８】
発明２に係る電動リールのコードは、発明１の電動リールのコードにおいて、第１コード部は、バッテリに接続される第１電力線を有している。第２コード部は、第１電力線に接続される第２電力線を有している。第３コード部は、第１電力線に接続される第３電力線を有している。この場合、第２電力線及び第３電力線は直接的に第１電力線に接続されているので、コード全体としてコンパクトにすることができる。
【０００９】
発明３に係る電動リールのコードは、発明１の電動リールのコードにおいて、第１コード部は、一端がバッテリに接続される第１電力線と、他端が第１電力線の先端に装着されたソケット部とを有している。第２コード部は、ソケット部に着脱可能に接続される第２電力線を有している。第３コード部は、ソケット部に着脱可能に接続される第３電力線を有している。この場合、第２電力線及び第３電力線はソケット部を介して着脱自在に第１電力線に接続されているので、たとえば釣り用電気機器を使用しないときは第３電力線を取り外すことにより、コードの取り扱いが容易になる。
【００１０】
発明４に係る電動リールのコードは、発明２又は３の電動リールのコードにおいて、釣り用電気機器は、電動リールと各種の情報を通信可能に接続されている。第２コード部は、電動リールに接続され、各種の情報を通信可能な第１通信線をさらに有している。第３コード部は、第１通信線と釣り用電気機器とに接続され、各種の情報を通信可能な第２通信線をさらに有している。この場合、電動リール及び釣り用電気機器に給電するための第２コード部及び第３コード部に、電動リール及び釣り用電気機器の間を通信するための第１通信線及び第２通信線を設けることにより、全体のコードを減少でき、低コスト化を図ることができる。
【００１１】
発明５に係る電動リールのコードは、発明４の電動リールのコードにおいて、第２コード部は、第２電力線と第１通信線との周囲を一体的に覆う第１被覆部をさらに有している。第３コード部は、第３電力線と第２通信線との周囲を一体的に覆う第２被覆部をさらに有している。この場合、第２電力線及び第１通信線と、第３電力線及び第２通信線とがそれぞれ一体的に形成されているので、それぞれ２つのコードを別々に設ける場合に比して、コードが絡みにくくなる。
【００１２】
発明６に係る電動リールのコードは、発明１から５のいずれかの電動リールのコードにおいて、第３コード部は、コイル状に形成されている。この場合、第３コード部をコイル状に形成することにより、第３コード部に接続された釣り用電気機器の移動が容易になる。
【００１３】
発明７に係る電動リールのコードは、発明１から６のいずれかの電動リールのコードにおいて、釣り用電気機器は、電動リールに各種の情報を通信可能に接続され、電動リールからの各種の情報を表示する釣り情報表示装置である。この場合、たとえば電動リールから外部に出力された各種の情報を表示可能な情報表示装置をリールと別に設けることにより、リールの大きさを小さく維持しながら、各種の情報を大量表示することができる。
【００１４】
発明８に係る電動リールのコードは、発明１から７のいずれかの電動リールのコードにおいて、釣り情報表示装置は、魚の棚位置、群の状況及び群の移動方向を得る魚群探知機に各種の情報を通信可能に接続され、魚群探知機からの各種の情報を表示する。この場合、魚群探知機から得られる魚に関する情報を釣り情報表示装置に表示できる。
【００１５】
発明９に係る電動リールのコードは、発明１から６のいずれかの電動リールのコードにおいて、釣り用電気機器は、魚の棚位置、群の状況及び群の移動方向を得る魚群探知機である。この場合、電動リールと通信可能な魚群探知機を接続することができる。
【発明の効果】
【００１６】
本発明によれば、第１コード部をバッテリに接続し、第１コード部が分岐した第２コード部及び第３コード部をそれぞれ電動リール及び釣り用電気機器に接続することにより、電動リールのコード及び釣り用電気機器のコードをバッテリに同時に接続できる。
【発明を実施するための最良の形態】
【００１７】
本発明の一実施形態を採用したコード２０は、図１及び図２に示すように、バッテリ８０からの電力を電動リール１００及び外部モニタ６０に供給するためのものである。コード２０は、バッテリ８０に接続される第１コード部２１と、第１コード部２１に接続され電動リール１００に給電する第２コード部２２と、第１コード部２１に第２コード部２２と分岐して接続され外部モニタ６０に給電する第３コード部２３とを備えている。第２コード部２２及び第３コード部２３は、各種の情報を通信可能に接続されており、これにより電動リール１００と外部モニタ６０とが双方向に情報通信可能である。また、図３に示すように、外部モニタ６０は、魚の棚位置、群の状況及び群の移動方向を得る魚群探知機９０と無線通信可能に接続されている。このため、外部モニタ６０は、電動リール１００及び魚群探知機９０から得られる情報を重畳して表示可能である。
【００１８】
電動リール１００は、図１及び図２に示すように、図１及び図２に示すように、釣竿Ｒに装着されるリール本体１と、リール本体１の側方に配置されたスプール回転用のハンドル２と、ハンドル２のリール本体１側に配置されたドラグ調整用のスタードラグ３とを主に備えている。
【００１９】
リール本体１は、図１及び図２に示すように、左右１対の側板７ａ、７ｂとそれらを連結する複数の連結部材８とからなるフレーム７と、フレーム７の左右を覆う左右の側カバー９ａ、９ｂとを有している。ハンドル２側（図２の右側）の側カバー９ｂには、ハンドル２の回転軸が回転自在に支持されている。ハンドル２と逆側（図２の左側）の側カバー９ａには、図４に示すように、バッテリ８０が接続されるコード２０の第２コード部２２を接続するためのコネクタ部１９が設けられている。
【００２０】
コネクタ部１９は、図５に示すように、外周側に後述する第２コード部２２の先端の第１コネクタ部２５に形成された雌ねじ部２８ａ（図１０参照）が螺合可能な雄ねじ部１８ａが形成された金属製のコネクタである。コネクタ部１９内部には、バッテリ８０から電力が供給される２本の端子ピン１９ａ、１９ｂと、外部モニタ６０と情報通信するための４本の端子ピン１９ｃ、１９ｄ、１９ｅ、１９ｆとが形成されている。また、コネクタ部１９は、第２コード部２２の第１コネクタ部２５を位置決めするために、内周側に一部が突出した突出部１８ｂが形成されており、後述する第２コード部２２の先端の第１コネクタ部２５に形成された切り欠き部２８ｂ（図１０参照）が係止可能である。
【００２１】
リール本体１の内部には、図２に示すように、ハンドル２に連結されたスプール１０が回転自在に支持されている。スプール１０の内部には、スプール１０を糸巻き上げ方向に回転駆動する直流駆動のモータ１２が配置されている。また、リール本体１のハンドル２側側面には、ハンドル２及びモータ１２と、ハンドル２の後方に設けられスプール１０との駆動伝達をオン、オフするクラッチレバー１１と、側カバー９ｂのハンドル２前方に設けられた速度変更レバー１３とが配置されている。速度変更レバー１３は、モータ１２の回転をオン、オフするとともに、モータ１２の回転を停止状態から最大回転状態まで揺動により指定するためのレバー部材である。
【００２２】
リール本体１の上部には、図１に示すように、カウンタケース４が固定されている。カウンタケース４の上面には、図２に示すように、仕掛けの水深や棚位置を水面からと底からとの２つの基準で表示するための液晶ディスプレイからなる表示部５と、表示部５の周囲に配置されたスイッチ操作部６とを有している。
【００２３】
カウンタケース４内の上部には、図３に示すように、表示部５と、表示制御及びモータ制御を行うリール制御部３０とが配置されている。カウンタケース４内の下部にはモータ１２をＰＷＭ駆動するＰＷＭ駆動回路３１が配置されている。またカウンタケース４内の下部には、ブザー４０とスプールセンサ４１とが配置されている。
【００２４】
リール制御部３０は、カウンタケース４内に配置されたＣＰＵ、ＲＡＭ、ＲＯＭ、Ｉ／Ｏインターフェイス等を含むマイクロコンピュータを含んでいる。リール制御部３０は、制御プログラムに従って表示部５の表示制御やモータ駆動制御等の各種の制御動作を実行する。リール制御部３０には、図４に示すように、スイッチ操作部６の各種のスイッチと、スプール１０の回転方向及び回転数（回転位置データ）を検出するためのスプールセンサ４１及びスプールカウンタ４２と、速度変更レバー１３とが接続されている。また、リール制御部３０には、ブザー４０と、ＰＷＭ駆動回路３１と、表示部５と、記憶部４３と、情報通信部４４と、他の入出力部とが接続されている。
【００２５】
ＰＷＭ駆動回路３１は、モータ１２を駆動するための駆動素子としてのＦＥＴを含んでいる。ＰＷＭ駆動回路３１は、リール制御部３０によりデューティ比が制御されてモータ１２を速度可変に駆動する。
【００２６】
スプールセンサ４１は、前後に並べて配置された２つのリードスイッチから構成されている。リードスイッチは、磁石ホイールに装着された２個の磁石を検出する。この検出パルスをスプールカウンタ４２で計数することでリールの回転数を検出できる。また、いずれのリードスイッチが先に検出パルスを発したかによりスプール１０の回転方向を検出できる。
【００２７】
スプールカウンタ４２は、スプールセンサ４１のオンオフ回数を計数するカウンタであり、この計数値によりスプール回転数に関する回転位置データが得られる。スプールカウンタ４２は、スプール１０が正転（糸繰り出し方向の回転）すると計数値が減少し、逆転すると増加する。
【００２８】
記憶部４３は、たとえばＥＥＰＲＯＭ等の不揮発メモリからなり、学習結果のデータや糸長算出時に使用する各種のデータ等が記憶されている。
【００２９】
情報通信部４４は、電動リール１００の外部に設けられた外部モニタ６０の情報通信部６６（図３参照）と各種の情報を送受信可能である。情報通信部４４は、コネクタ部１９の４本の端子ピン１９ｃ、１９ｄ、１９ｅ、１９ｆに接続され、コード２０の第２コード部２２及び第３コード部２３を介して情報通信部６６と通信可能である。
【００３０】
外部モニタ６０は、魚群探知機９０から得られる漁場の底の水深や魚群の位置を示す棚位置をエコー表示可能であるとともに、電動リール１００から得られる仕掛けの水深データをエコー表示された底の水深や棚位置とともに重畳して表示するためのものである。
【００３１】
外部モニタ６０は、図１、図３及び図６に示すように、略直方体形状のモニタケース６７と、モニタケース６７に装着された液晶ディスプレイからなる表示部６５と、表示部６５の右側に配置された複数の操作ボタンからなるスイッチ操作部６４とを有している。スイッチ操作部６４は、各種の設定項目を上下左右にカーソルを移動させるカーソルキーや、表示部６５の表示をオン、オフする電源ボタンや、各種の設定を設定するため決定ボタンや、画面切り換えボタンや、さそい開始ボタン等の複数のボタンが上下に並べて配置されている。
【００３２】
外部モニタ６０の内部には、図３に示すように、各種の制御を行うモニタ制御部６３が配置されている。モニタ制御部６３は、モニタケース６７内に配置されたＣＰＵ、ＲＡＭ、ＲＯＭ、Ｉ／Ｏインターフェイス等を含むマイクロコンピュータを含んでいる。リール制御部３０は、制御プログラムに従って、電動リール１００及び魚群探知機９０からの情報を表示部６５に表示させる表示制御や、電動リール１００のさそい制御等の各種の制御動作を実行する。また、モニタ制御部６３には、図３に示すように、スイッチ操作部６４の各種のスイッチと、表示部６５と、情報通信部６６と、他の入出力部とが接続されている。
【００３３】
情報通信部６６は、前述したように、電動リール１００の情報通信部４４とコード２０の第２コード部２２及び第３コード部２３を介して通信可能である。また、情報通信部６６は、図３に示すように、たとえば特定小電力規格の無線により、魚群探知機９０と通信可能であり、底の水深や魚群の位置等の情報を受信する。情報通信部６６は、電動リール１００の情報通信部４４から仕掛けの水深データ等の情報を受信し、電動リール１００の情報通信部４４へさそい制御等の制御情報等を送信する。
【００３４】
外部モニタ６０の背面には、図６に示すように、バッテリ８０が接続されるコード２０の第３コード部２３を接続するためのコネクタ部６１設けられている。
【００３５】
コネクタ部６１は、図６に示すように、外周側に後述する第３コード部２３の第２コネクタ部２７先端に形成された雌ねじ部２９ａ（図１１参照）が螺合可能な雄ねじ部６２ａが形成された金属製のコネクタである。コネクタ部６１内部には、バッテリ８０から電力が供給される２本の端子ピン６１ａ、６１ｂと、電動リール１００と情報通信するための４本の端子ピン６１ｃ、６１ｄ、６１ｅ、６１ｆとが形成されている。また、コネクタ部６１は、第３コード部２３の第２コネクタ部２７を位置決めするために、内周側に一部が突出した突出部６２ｂが形成されており、後述する第３コード部２３の先端の第２コネクタ部２７に形成された切り欠き部２９ｂ（図１１参照）が係止可能である。
【００３６】
バッテリ８０は、図１、図２及び図７に示すように、コード２０の第１コード部２１を介して電動リール１００及び外部モニタ６０に電気的に接続され、船縁の近傍に載置可能な比較的小型かつ軽量の充電を繰り返し行うことができるリチウムイオンバッテリである。バッテリ８０のは、図７に示すように、上面視長円形の略直方体形状に形成され、側部中央が凹んだ湾曲形状になっている。バッテリ８０の側部は、合成樹脂製の部材で覆われており、バッテリ８０の上部両端には、コード２０の第１コード部２１に接続される略Ｌ字状の端子部８１ａ、８１ｂが設けられている。端子部８１ａ、８１ｂには、図７に示すように、後述する第１コード部２１の先端に設けられた鰐口クリップ２１ｃ、２１ｄを挟み込むことにより、バッテリ８０とコード２０とが電気的に接続されている。
【００３７】
コード２０は、図１、図２、図８及び図９に示すように、バッテリ８０に接続される第１コード部２１と、第１コード部２１に接続され電動リール１００に給電する第２コード部２２と、第１コード部２１に第２コード部２２と分岐して接続され外部モニタ６０に給電する第３コード部２３とを備えている。
【００３８】
第１コード部２１は、図７から図９に示すように、バッテリ８０に接続される２本の第１電力線２１ａ、２１ｂを有している。第１電力線２１ａ、２１ｂの先端には、それぞれ鰐口クリップ２１ｃ、２１ｄが接続されており、鰐口クリップ２１ｃ、２１ｄをバッテリ８０の端子部８１ａ、８１ｂに係止することにより、バッテリ８０とコード２０とが電気的に接続されている。第１電力線２１ａ、２１ｂの周囲には、それぞれ合成樹脂製部材が被覆されており、第１電力線２１ａ、２１ｂの基端部の周囲には、合成樹脂製部材が第２コード部２２及び第３コード部２３とともに一体的に被覆されている。
【００３９】
第２コード部２２は、図５、図８から図１０に示すように、基端が第１コード部２１に一体的に接続され、先端が電動リール１００のコネクタ部１９に接続されるコードである。第２コード部２２は、第１電力線２１ａ、２１ｂがそれぞれ接続される２本の第２電力線２２ａ、２２ｂと、外部モニタ６０と情報通信するための４本の第１通信線２２ｃ、２２ｄ、２２ｅ、２２ｆとを有している。２本の第１通信線２２ｃ、２２ｄは、電動リール１００から外部モニタ６０に情報を通信する通信線であり、２本の第１通信線２２ｅ、２２ｆは、外部モニタ６０から電動リール１００に情報を通信する通信線である。なお、４本の第１通信線２２ｃ、２２ｄ、２２ｅ、２２ｆのうち、第１通信線２２ｃ、２２ｅは各種の情報信号を通信するためのものであり、第１通信線２２ｄ、２２ｆは接地するために設けられている。
【００４０】
第２コード部２２は、図８に示すように、２本の第２電力線２２ａ、２２ｂ及び４本の第１通信線２２ｃ、２２ｄ、２２ｅ、２２ｆの周囲を合成樹脂製部材にて一体的に被覆される第１被覆部２４と、第１被覆部２４の先端部に形成され電動リール１００のコネクタ部１９に接続される第１コネクタ部２５とを有している。
【００４１】
第１コネクタ部２５は、図１０に拡大して示すように、内周側にコネクタ部１９の雄ねじ部１８ａ（図５参照）に螺合可能な雌ねじ部２８ａが形成されている。また、第１コネクタ部２５は、コネクタ部１９の突出部１８ｂ（図５参照）に係止可能な内周部の一部が切り欠かれた切り欠き部２８ｂを有している。第１コネクタ部２５内部には、コネクタ部１９の２本の端子ピン１９ａ、１９ｂ（図５参照）が装着される２つの端子凹部２５ａ、２５ｂと、コネクタ部１９の４本の端子ピン１９ｃ、１９ｄ、１９ｅ、１９ｆ（図５参照）が装着される４つの端子凹部２５ｃ、２５ｄ、２５ｅ、２５ｆとが形成されている。２つの端子凹部２５ａ、２５ｂは、図９に示すように、２本の第２電力線２２ａ、２２ｂの先端に接続され、４つの端子凹部２５ｃ、２５ｄ、２５ｅ、２５ｆは、４本の第１通信線２２ｃ、２２ｄ、２２ｅ、２２ｆの先端に電気的に接続されている。
【００４２】
第３コード部２３は、図５、図８、図９及び図１１に示すように、基端が第１コード部２１に一体的に接続され、先端が外部モニタ６０のコネクタ部６１に接続されるコードである。第３コード部２３は、第１電力線２１ａ、２１ｂがそれぞれ接続される２本の第３電力線２３ａ、２３ｂと、電動リール１００と情報通信するための４本の第２通信線２３ｃ、２３ｄ、２３ｅ、２３ｆとを有している。２本の第２通信線２３ｃ、２３ｄは、電動リール１００から外部モニタ６０に情報を通信する通信線であり、図９に示すように、それぞれ２本の第１通信線２２ｃ、２２ｄに接続されている。２本の第２通信線２３ｅ、２３ｆは、外部モニタ６０から電動リール１００に情報を通信する通信線であり、図９に示すように、２本の第１通信線２２ｅ、２２ｆに電気的に接続されている。なお、４本の第１通信線２３ｃ、２３ｄ、２３ｅ、２３ｆのうち、第１通信線２３ｃ、２３ｅは各種の情報信号を通信するためのものであり、第１通信線２３ｄ、２３ｆは接地するために設けられている。
【００４３】
第３コード部２３は、図８に示すように、２本の第３電力線２３ａ、２３ｂ及び４本の第２通信線２３ｃ、２３ｄ、２３ｅ、２３ｆの周囲を合成樹脂製部材にて一体的に被覆される第２被覆部２６と、第２被覆部２６の先端部に形成され外部モニタ６０のコネクタ部６１に接続される第２コネクタ部２７とを有している。
【００４４】
第２コネクタ部２７は、図１１に拡大して示すように、内周側にコネクタ部６１の雄ねじ部６２ａ（図６参照）に螺合可能な雌ねじ部２９ａが形成されている。また、第２コネクタ部２７は、コネクタ部６１の突出部６２ｂ（図６参照）に係止可能な内周部の一部が切り欠かれた切り欠き部２９ｂを有している。第２コネクタ部２７内部には、コネクタ部６１の２本の端子ピン６１ａ、６１ｂ（図６参照）が装着される２つの端子凹部２７ａ、２７ｂと、コネクタ部６１の４本の端子ピン６１ｃ、６１ｄ、６１ｅ、６１ｆ（図６参照）が装着される４つの端子凹部２７ｃ、２７ｄ、２７ｅ、２７ｆとが形成されている。２つの端子凹部２７ａ、２７ｂは、図９に示すように、２本の第３電力線２３ａ、２３ｂの先端に接続され、４つの端子凹部２７ｃ、２７ｄ、２７ｅ、２７ｆは、４本の第２通信線２３ｃ、２３ｄ、２３ｅ、２３ｆの先端に電気的に接続されている。
【００４５】
このようなコード２０を用いて釣りを行うには、まず、第１コード部２１の先端の鰐口クリップ２１ｃ、２１ｄを、バッテリ８０の端子部８１ａ、８１ｂに係止する。次に、第２コード部２２先端の第１コネクタ部２５を、電動リール１００のコネクタ部１９に接続する。そして、第３コード部２３先端の第２コネクタ部２７を、外部モニタ６０のコネクタ部６１に接続する。このように接続することにより、バッテリ８０からの電力は、第１コード部２１の第１電力線２１ａ、２１ｂから、第２コード部２２の第２電力線２２ａ、２２ｂ及び第３コード部２３の第３電力線２３ａ、２３ｂを介して、電動リール１００及び外部モニタ６０にそれぞれ供給される。また、電動リール１００及び外部モニタ６０は、第２コード部２２の第１通信線２２ｃ、２２ｄ、２２ｅ、２２ｆ及び第３コード部２３の第１通信線２３ｃ、２３ｄ、２３ｅ、２３ｆを介して、各種の情報が双方向に通信される。
【００４６】
なお、外部モニタ６０を使用しないときは、第３コード部２３を外部モニタ６０から取り外し、第２コード部２２が接続された電動リール１００を単体で使用することが可能である。この場合、バッテリ８０からの電力は、第１コード部２１の第１電力線２１ａ、２１ｂから、第２コード部２２の第２電力線２２ａ、２２ｂを介して、電動リール１００に供給される。また、逆に、電動リール１００を使用しないときは、第２コード部２２を電動リール１００から取り外し、第３コード部２３が接続された外部モニタ６０を単体で使用できる。この場合、バッテリ８０からの電力は、第１コード部２１の第１電力線２１ａ、２１ｂから、第３コード部２３の第３電力線２３ａ、２３ｂを介して、外部モニタ６０にそれぞれ供給される。
【００４７】
このような電動リール１００及び外部モニタ６０にバッテリ８０から給電可能なコード２０は、第１コード部２１がバッテリ８０に接続され、第１コード部２１が分岐した第２コード部２２及び第３コード部２３がそれぞれ電動リール１００及び外部モニタ６０に接続されている。ここでは、１つの第１コード部２１をバッテリ８０に接続することにより、２つの第２コード部２２及び第３コード部２３から電動リール１００及び外部モニタ６０に給電されるので、電動リール１００のコードと外部モニタ６０のコードとを、接続端子が小さいバッテリ８０に同時に接続することができる。
【００４８】
〔他の実施形態〕
（ａ）  前記実施形態では、電動リール１００の外部に設けられる釣り用電気機器として外部モニタ６０を例にあげて説明したが、釣り用電気機器はこれに限定されるものではなく、魚群探知機や、釣り船に搭載された全地球測位システム（ＧＰＳ）であってもよい。
【００４９】
（ｂ）  前記実施形態では、外部モニタ６０は、電動リール１００及び魚群探知機９０から得られる情報を表示していたが、魚群探知機９０から得られる情報のみを表示させるようにしてもよい。この場合、第２コード部２２及び第３コード部２３には、第１通信線２２ｃ、２２ｄ、２２ｅ、２２ｆ及び第２通信線２３ｃ、２３ｄ、２３ｅ、２３ｆを設けない構成にしてもよい。
【００５０】
（ｃ）  前記実施形態では、第２コード部２２及び第３コード部２３は、第１コード部２１と一体的に形成されていたが、図１２に示すように、第１コード部２１の先端部にソケット７０を設け、ソケット７０に対して第２コード部２２及び第３コード部２３が着脱自在となるような構成にしてもよい。ここでは、たとえば第２コード部２２に形成された第３コネクタ部７１及び第３コード部２３に形成された第４コネクタ部７２が、それぞれ装着可能な第１ソケット部７０ａ及び第２ソケット部７０ｂを、ソケット７０に設けてもよい。この場合には、電動リール１００又は外部モニタ６０の一方のみ使用するときは、第３コード部２３又は第２コード部２２を取り外すことにより、コードが邪魔になりにくくなる。なお、第１ソケット部７０ａ及び第２ソケット部７０ｂのうちの一方のみを設ける構成にしてもよく、たとえば第２ソケット部７０ｂのみで構成される場合は、第３コード部２３が着脱自在となる。
【００５１】
（ｄ）  前記実施形態では、第２コード部２２及び第３コード部２３には、それぞれ合成樹脂製の第１被覆部２４及び第２被覆部２６が形成されていたが、図１３に示すように、たとえば第３コード部２３にコイル状に巻かれたコイル部７３を形成してもよい。この場合には、コイル部７３によって、第３コード部２３をを束ねる必要がなくなるので、コード全体をコンパクトにすることができる。
【図面の簡単な説明】
【００５２】
【図１】本発明の一実施形態を採用した電動リール、釣り情報表示装置及びバッテリの斜視図。
【図２】前記電動リールの平面図。
【図３】前記電動リール及び前記釣り情報表示装置の制御ブロック図。
【図４】前記電動リールの側面図。
【図５】コードを外したときの図３に相当する図。
【図６】前記釣り情報表示装置の平面図。
【図７】前記バッテリの斜視図。
【図８】前記コードの斜視図。
【図９】前記コードの接続関係を示す模式図。
【図１０】前記コードの第２コード部の拡大正面図。
【図１１】前記コードの第３コード部の拡大正面図。
【図１２】他の実施形態の図８に相当する図。
【図１３】他の実施形態の図８に相当する図。
【符号の説明】
【００５３】
１８ａ  雄ねじ部
１８ｂ  突出部
１９  コネクタ部
１９ａ、１９ｂ、１９ｃ、１９ｄ、１９ｅ、１９ｆ  端子ピン
２０  コード
２１  第１コード部
２１ａ、２１ｂ  第１電力線
２２  第２コード部
２２ａ、２２ｂ  第２電力線
２２ｃ、２２ｄ、２２ｅ、２２ｆ  第１通信線
２３  第３コード部
２３ａ、２３ｂ  第３電力線
２３ｃ、２３ｄ、２３ｅ、２３ｆ  第２通信線
２４  第１被覆部
２５  第１コネクタ部
２５ａ、２５ｂ、２５ｃ、２５ｄ、２５ｅ、２５ｆ  端子凹部
２６  第２被覆部
２６ａ、２６ｂ、２６ｃ、２６ｄ、２６ｅ、２６ｆ  端子凹部
２７  第２コネクタ部
２８ａ  雌ねじ部
２８ｂ  切り欠き部
２９ａ  雌ねじ部
２９ｂ  切り欠き部
６０  外部モニタ
６１  コネクタ部
６１ａ、６１ｂ、６１ｃ、６１ｄ、６１ｅ、６１ｆ  端子ピン
６２ａ  雄ねじ部
６２ｂ  突出部
７０  ソケット
７０ａ  第１ソケット部
７０ｂ  第２ソケット部
７１  第３コネクタ部
７２  第４コネクタ部
７３  コイル部
８０  バッテリ
９０  魚群探知機
１００  電動リール
【図１】
2005160422.tif 000003
【図２】
2005160422.tif 000004
【図３】
2005160422.tif 000005
【図４】
2005160422.tif 000006
【図５】
2005160422.tif 000007
【図６】
2005160422.tif 000008
【図７】
2005160422.tif 000009
【図８】
2005160422.tif 000010
【図９】
2005160422.tif 000011
【図１０】
2005160422.tif 000012
【図１１】
2005160422.tif 000013
【図１２】
2005160422.tif 000014
【図１３】
2005160422.tif 000015